(57)【要約】【課題】装着者に圧迫感を与えることなく、長時間装着して快適に使用することが可能なウェアラブル機器を提供する。【解決手段】ケース部１０と、ケース部１０の第１端部１０ａと接続し、ケース部１０をユーザーの身体に装着するための部材である第１のバンド２２と、ケース部１０の第１端部１０ａの反対側の第２端部１０ｂと接続し、ケース部１０をユーザーの身体に装着するための部材である第２のバンド２４と、を備え、ケース部１０は、第１のバンド２２から第２のバンド２４に向かう方向をＹ軸、Ｙ軸とケース部の厚み方向から見た平面視で直交する方向をＸ軸、Ｘ軸及びＹ軸に直交する方向をＺ軸とし、第１端部１０ａのＸ軸方向の幅をａ、第２端部１０ｂのＸ軸方向の幅をｂとしたとき、ａ＜ｂであることを特徴とするウェアラブル機器としての生体情報測定装置１。【選択図】図２
2017213126.tif 000002
【特許請求の範囲】
【請求項１】
ケース部と、
前記ケース部の第１端部と接続し、前記ケース部をユーザーの身体に装着するための部材である第１のバンドと、
前記ケース部の前記第１端部の反対側の第２端部と接続し、前記ケース部を前記ユーザーの身体に装着するための部材である第２のバンドと、を備え、
前記ケース部は、前記第１のバンドから前記第２のバンドに向かう方向をＹ軸、前記Ｙ軸と前記ケース部の厚み方向から見た平面視で直交する方向をＸ軸、前記Ｘ軸及び前記Ｙ軸に直交する方向をＺ軸とし、前記第１端部の前記Ｘ軸方向の幅をａ、前記第２端部の前記Ｘ軸方向の幅をｂとしたとき、ａ＜ｂであることを特徴とするウェアラブル機器。
【請求項２】
請求項１に記載のウェアラブル機器において、
前記ａと前記ｂとの比ａ：ｂが、ａ：ｂ＝１：（１．１〜１．４）であることを特徴とするウェアラブル機器。
【請求項３】
請求項１または２に記載のウェアラブル機器において、
前記第１端部の前記Ｚ軸方向の幅をｃ、前記第２端部の前記Ｚ軸方向の幅をｄとしたとき、ｃ＜ｄであることを特徴とするウェアラブル機器。
【請求項４】
請求項３に記載のウェアラブル機器において、
前記ｃと前記ｄとの比ｃ：ｄが、ｃ：ｄ＝１：（１．２〜４．０）であることを特徴とするウェアラブル機器。
【請求項５】
請求項１〜４のいずれか一項に記載のウェアラブル機器において、
前記Ｚ軸方向からの平面視において、前記第１端部および前記第２端部の間に、前記Ｘ軸方向の幅が前記ａおよび前記ｂの少なくとも一方と異なる幅ｂ´を有する中間部を含むことを特徴とするウェアラブル機器。
【請求項６】
請求項５に記載のウェアラブル機器において、
前記ａと前記ｂ´との関係が、ｂ´＞ａであることを特徴とするウェアラブル機器。
【請求項７】
請求項６に記載のウェアラブル機器において、
前記ｂと前記ｂ´との関係が、ａ≠ｂ´で、且つ、ｂ´≧ｂであることを特徴とするウェアラブル機器。
【請求項８】
請求項５〜７のいずれか一項に記載のウェアラブル機器において、
前記Ｘ軸方向からの平面視において、前記中間部の前記Ｚ軸方向の幅をｄ´としたとき、ｄ´＞ｃであることを特徴とするウェアラブル機器。
【請求項９】
請求項５〜７のいずれか一項に記載のウェアラブル機器において、
前記Ｘ軸方向からの平面視において、前記中間部の前記Ｚ軸方向の幅をｄ´としたとき、ｄ´≧ｄであることを特徴とするウェアラブル機器。
【請求項１０】
請求項１〜９のいずれか一項に記載のウェアラブル機器において、
前記ケース部に、前記ユーザーの生体情報を測定する生体情報測定部を備えたことを特徴とするウェアラブル機器。
【請求項１１】
請求項１〜１０のいずれか一項に記載のウェアラブル機器において、
前記ケース部の内部に電池を備え、
前記Ｘ軸方向からの断面視において、前記第１端部から前記電池までの距離よりも、前記第２端部から前記電池までの距離の方が短いことを特徴とするウェアラブル機器。
【請求項１２】
請求項１〜１１のいずれか一項に記載のウェアラブル機器において、
前記Ｚ軸方向からの平面視において、前記ケース部の前記第１端部側に配置された操作部を含むことを特徴とするウェアラブル機器。
【請求項１３】
請求項１〜１２のいずれか一項に記載のウェアラブル機器において、
前記ケース部に、前記Ｘ軸方向を長手方向とする複数の帯状表示部が、前記第１端部側から前記第２端部側に向かう方向に沿って配置された第１表示部を含むことを特徴とするウェアラブル機器。
【請求項１４】
請求項１３に記載のウェアラブル機器において、
前記帯状表示部は、前記第１端部側から前記第２端部側に向かって前記Ｙ軸方向の幅が広くなることを特徴とするウェアラブル機器。
【請求項１５】
請求項１３または１４に記載のウェアラブル機器において、
隣り合う前記帯状表示部の間の領域に、画像を表示する第２表示部が配置されることを特徴とするウェアラブル機器。
【発明の詳細な説明】
【技術分野】
【０００１】
本発明は、被検体に装着して用いるウェアラブル機器に関する。
【背景技術】
【０００２】
従来、服のように身に付けて機能するウェアラブル機器として、ユーザーの手首等に装着され、脈拍等の生体を測定する測定機器や、当該生体情報の測定機能を有する腕時計の電子機器が知られている。例えば特許文献１に、測定を行う機器本体と、当該機器本体に取り付けられたバンド部とを有する腕時計型の生体情報測定機器が紹介されている。
【０００３】
特許文献１に記載の生体情報測定機器において、機器本体は、生体情報を測定する生体情報測定部を備えたケース部を含み、バンド部は、ケース部の第１端部と接続し、ユーザーの身体（例えば手首）に固定する第１のバンドと、ケース部の第１端部の反対側の第２端部と接続し、ユーザーの身体に固定する第２のバンドとを含む。バンド部において、第１のバンドには長尺方向に沿って複数の装着孔が形成され、第２のバンドのケース部と接続された一端部とは反対側の他端部には、つく棒を有する尾錠（美錠ともいう）が設けられており、第２のバンドの尾錠のつく棒に、第１のバンドの適当な装着孔を挿入して手首に固定することにより、バンド部の手首への締め付け度合を調整して機器本体をユーザーに装着できるようになっている。
【先行技術文献】
【特許文献】
【０００４】
【特許文献１】特開２００５−２０４８０４号公報
【発明の概要】
【発明が解決しようとする課題】
【０００５】
昨今の健康に対する意識の高まりなどに伴って、ウェアラブル機器としての生体情報測定機器は、長時間あるいは長期間に渡って装着し、日常生活や運動時における生体情報を監視する用途に用いられることが増えてきている。このため、生体情報測定機器には、長時間連続使用に耐えられるように、小型化・軽量化や、装着性やフィット感の向上などの要求が高まっているとともに、ユーザーが測定機器本体を見たときの視覚的な圧迫感をできるだけ軽減することが求められてきている。
また、生体情報測定機器には、例えばランニングなどの運動中における生体情報を所定期間連続測定している際に、生体情報の測定値や、その測定値に基づいて算出される運動の強度や身体への負荷などの度合について、ユーザーが任意のタイミングで確認できる視認性に優れた表示部を備えていることが求められる。
【０００６】
しかしながら、特許文献１に記載の生体情報測定機器は、表示部（時計における文字板）を正対した方向からみた平面視において、円形あるいは方形状のケース部では、相対的に機器本体部分（ケース部）が大きく視認されることから、装着者に視覚的な圧迫感を与え、測定対象の生体情報を長時間、あるいは長期間にわたって測定し続けることが難しくなる虞があった。
また、機器本体部分（ケース部）に、生体情報の測定値や、その測定値に基づいて算出した運動の強度や身体への負荷度合などを表示する表示部を備えている場合に、上述した「装着者に視覚的な圧迫感を与える」ことによる不具合を解消すべく、例えば、ケース部の表示部を配置させる面の大きさを縮小してしまうと、表示部の表示領域が縮小されてしまい、表示した生体情報やそれに基づく情報が視認しにくくなる虞があるという課題があった。
【課題を解決するための手段】
【０００７】
本発明は、上述の課題の少なくとも一部を解決するためになされたものであり、以下の形態または適用例として実現することが可能である。
【０００８】
［適用例１］  本適用例にかかるウェアラブル機器は、ケース部と、前記ケース部の第１端部と接続し、前記ケース部をユーザーの身体に装着するための部材である第１のバンドと、前記ケース部の前記第１端部の反対側の第２端部と接続し、前記ケース部をユーザーの身体に装着するための部材である第２のバンドと、を備え、前記ケース部は、前記第１のバンドから前記第２のバンドに向かう方向をＹ軸、前記Ｙ軸と前記ケース部の厚み方向から見た平面視で直交する方向をＸ軸、前記Ｘ軸及び前記Ｙ軸に直交する方向をＺ軸とし、前記第１端部の前記Ｘ軸方向の幅をａ、前記第２端部の前記Ｘ軸方向の幅をｂとしたとき、ａ＜ｂであることを特徴とする。
【０００９】
本適用例によれば、ユーザーが自然な姿勢でケース部と正対したときに、第１端部がユーザーの手前側（目線に近い側）に位置するようにウェアラブル機器を装着した場合に、ケース部の第１端部のＸ軸方向の幅ａよりも、目線の奥にある第２端部のＸ軸方向の幅ｂの方が広くなる。このため、遠近法による錯視効果によって、ケース部の第２端部側の幅は、実際の幅よりも狭く視認され、装着者に視覚的な圧迫感を与え難くなるという効果が得られる。したがって、視覚的な圧迫感が抑えられ、長時間の連続使用が可能なウェアラブル機器を提供することができる。
また、上述した錯視効果により、ケース部の第２端部側の幅が実際の幅よりも狭く視認されるので、ケース部に表示部を配置する場合に、第２端部の幅ｂを可能な範囲で広く設定して、表示部の少なくとも一部を第２端部側に配置することにより、表示部の表示領域を比較的広くすることが可能になる。したがって、ケース部の大きさによって装着者が感じる視覚的な圧迫感を抑えながら、視認性の優れた表示部を有するウェアラブル機器を提供することができる。
【００１０】
［適用例２］  上記適用例にかかるウェアラブル機器において、前記ａと前記ｂとの比ａ：ｂが、ａ：ｂ＝１：（１．１〜１．４）であることを特徴とする。
【００１１】
発明者等は、幅ａに対して、幅ｂが１．１倍以上あれば、幅ｂが幅ａと同じである場合に比して、幅ａよりも幅ｂが広いことによる変化を感じることができること、また、幅ａに対して、幅ｂを１．４倍以下に抑えれば、幅ａの第１端部から受ける印象よりも幅ｂの第２端部から受ける印象が強くなり過ぎ視覚的な圧迫感を顕著に感じるのを回避できることを見出した。したがって、本適用例によれば、視覚的な圧迫感を抑えながら、ケース部の大型化を図ることができるため、視認性に優れた表示部を備えたり、ケース部の内部に部品を効率よく配置させたりすることが可能になるので、より高機能で長時間の連続使用が可能なウェアラブル機器を提供することができる。
【００１２】
［適用例３］  上記適用例にかかるウェアラブル機器において、前記第１端部の前記Ｚ軸方向の幅をｃ、前記第２端部の前記Ｚ軸方向の幅をｄとしたとき、ｃ＜ｄであることを特徴とする。
【００１３】
本適用例によれば、ケース部と正対したときに第１端部が装着者（ユーザー）の手前側（目線に近い側）に位置するようにウェアラブル機器を装着した場合に、ケース部の厚みが、装着者の手前側（第１端部側）の厚みよりも、装着者の奥側（第２端部側）の厚みの方が厚くなる。つまり、ケース部の装着者と正対する面（第１端部と第２端部とが対向する二辺をなす面）は、装着者の奥側となる第２端部側が装着者側に立ちあがる斜面となる。これにより、例えば、上述した斜面に表示部を配置することにより、装着者に対して表示部の奥側（第２端部側）が装着者の目に近づくようになり、表示部の表示が視認しやすくなるという効果を奏することを、発明者等は見出した。
また、ケース部の内部空間は、装着者の目線に近い第１端部側から第２端部側に向けて広くすることが可能になるので、例えば、第２端部側の広い空間に比較的大きな部品を配置すること等ができる。
【００１４】
［適用例４］  上記適用例にかかるウェアラブル機器において、前記ｃと前記ｄとの比ｃ：ｄが、ｃ：ｄ＝１：（１．２〜４．０）であることを特徴とする。
【００１５】
発明者等は、幅ｃに対して、幅ｄが１．２倍以上あれば、幅ｃが幅ｄと同じである場合に比して、幅ｃよりも幅ｄが広いことによる変化を感じることができること、また、幅ｃに対して、幅ｄを４．０倍以下に抑えれば、幅ｃの第１端部側から受ける印象よりも幅ｄの第２端部側から受ける印象が強くなり過ぎて視覚的な圧迫感を顕著に感じるのを回避できることを見出した。したがって、本適用例によれば、視覚的な圧迫感を抑えつつ、ケース部の大型化を図ったり、ケース部に表示部を配置したりした場合に、表示部の表示がより視認しやすいウェアラブル機器を提供することができる。
【００１６】
［適用例５］  上記適用例にかかるウェアラブル機器において、前記Ｚ軸方向からの平面視において、前記第１端部および前記第２端部の間に、前記Ｘ軸方向の幅が前記ａおよび前記ｂの少なくとも一方と異なる幅ｂ´を有する中間部を含むことを特徴とする。
【００１７】
本適用例によれば、遠近法による錯視効果によって、装着者に視覚的な圧迫感を与え難くしながら第２端部の幅ｂを第１端部の幅ａよりも広くすることが可能な本発明のケース部の形状において、設計の自由度が広がるという効果が得られる。
【００１８】
［適用例６］  上記適用例にかかるウェアラブル機器において、前記ａと前記ｂ´との関係が、ｂ´＞ａであることを特徴とする。
【００１９】
本適用例によれば、中間部の幅ｂ´が第１端部の幅ａよりも広くても、遠近法による錯視効果により、装着者に視覚的な圧迫感を与え難くすることができることを発明者等は見出した。
【００２０】
［適用例７］  上記適用例にかかるウェアラブル機器において、前記ｂと前記ｂ´との関係が、ａ≠ｂ´で、且つ、ｂ´≧ｂであることを特徴とする。
【００２１】
本適用例によれば、中間部から第２端部までの大きさを十分に確保しながら、装着者に視覚的な圧迫感を与え難いウェアラブル機器（ケース部）を提供することができる。
【００２２】
［適用例８］  上記適用例にかかるウェアラブル機器において、前記Ｘ軸方向からの平面視において、前記中間部の前記Ｚ軸方向の幅をｄ´としたとき、ｄ´＞ｃであることを特徴とする。
【００２３】
本適用例によれば、ケース部の厚みが、装着者の手前側（第１端部側）の厚みよりも、装着者の奥側（第２端部側）に位置する中間部の厚みの方が厚くなって装着者側に立ちあがる斜面となるので、例えば、この斜面に表示部を配置することにより、表示部の表示が視認しやすくなるという効果が得られる。
また、ケース部の内部空間が、装着者の目線に近い第１端部側から中間部側に向けて広くなるので、例えば、中間部側の広い空間に比較的大きな部品を配置すること等ができる。
【００２４】
［適用例９］  上記適用例にかかるウェアラブル機器において、前記Ｘ軸方向からの平面視において、前記中間部の前記Ｚ軸方向の幅をｄ´としたとき、ｄ´≧ｄであることを特徴とする。
【００２５】
本適用例によれば、ケース部の中間部から第２端部にかけての厚みの増大を抑えながら、中間部から第２端部を含む領域に視認性のよい表示部を配置したり、中間部から第２端部にかけてのケース部内部に形成される比較的大きなスペースに、比較的大きな部品や多数の部品を収容させることにより、ウェアラブル機器の高機能化を図ることが可能になる。
【００２６】
［適用例１０］  上記適用例にかかるウェアラブル機器において、前記ケース部に、前記ユーザーの生体情報を測定する生体情報測定部を備えたことを特徴とする。
【００２７】
本適用例によれば、比較的大型化を図りながら、装着者に視覚的な圧迫感を与え難いケース部を備えているので、長時間、あるいは長期間に渡って装着し、日常生活や運動時の生体情報を監視することが可能なウェアラブル機器としての生体情報測定機器を提供することができる。
また、装着時の視覚的な圧迫感を軽減しながら、比較的大型の表示部を配置することができるので、例えばランニングなどの運動中に、表示部に表示させる生体情報の測定値や、その測定値に基づいて算出される運動の強度や身体への負荷などの度合を視認しやすく表示できるという効果が得られる。
【００２８】
［適用例１１］  上記適用例にかかるウェアラブル機器において、前記ケース部の内部に電池を備え、前記Ｘ軸方向からの断面視において、前記第１端部から前記電池までの距離よりも、前記第２端部から前記電池までの距離の方が短いことを特徴とする。
【００２９】
本適用例によれば、ウェアラブル機器において、ケース部の内部の第２端部側に確保される比較的大きな空間に、比較的大きな部品である電池をスペース効率よく配置することができる。
【００３０】
［適用例１２］  上記適用例にかかるウェアラブル機器において、前記Ｚ軸方向からの平面視において、前記ケース部の前記第１端部側に配置された操作部を含むことを特徴とする。
【００３１】
本適用例によれば、ケース部の第１端部側の厚みが薄い領域に操作部が配置されるので、例えば、ケース部の内底部に配置した回路基板に、操作スイッチや操作ボタンなどの操作部を実装して、その操作部を直接または間接的に押圧して操作するシンプルな構造のウェアラブル機器を構成することができる。
【００３２】
［適用例１３］  上記適用例にかかるウェアラブル機器において、前記ケース部に、前記Ｘ軸方向を長手方向とする複数の帯状表示部が、前記第１端部側から前記第２端部側に向かう方向に沿って配置された第１表示部を含むことを特徴とする。
【００３３】
本適用例によれば、第１表示部が有する複数の帯状表示部を表示する本数により、ウェアラブル機器により測定される測定値、例えば、生体情報の測定値や、その測定値に基づいて算出される運動の強度や身体への負荷などの度合を見やすく表示することが可能になる。特に、第１端部から第２端部側に向かって幅が広くなるケース部のＸ軸方向の幅に合わせて、複数配置する各々の帯状表示部のＸ軸方向の長さを、第１端部側から第２端部側に向かって長く設定して配置させることにより、表示する情報の値の大きさや度合などを強調して装着者に視認させることが可能になる。
【００３４】
［適用例１４］  上記適用例にかかるウェアラブル機器において、前記帯状表示部は、前記第１端部側から前記第２端部側に向かって前記Ｙ軸方向の幅が広くなることを特徴とする。
【００３５】
本適用例によれば、表示する情報の大きさや度合をさらに強調して、装着者によりわかりやすく視認させることができる。
【００３６】
［適用例１５］  上記適用例にかかるウェアラブル機器において、隣り合う前記帯状表示部の間の領域に、画像を表示する第２表示部が配置されることを特徴とする。
【００３７】
本適用例によれば、第２表示部に、数値や文字などの画像による情報を表示できるので、より多様な情報を装着者にわかりやすく報知することが可能になる。
【図面の簡単な説明】
【００３８】
【図１】実施形態１に係るウェアラブル機器としての生体情報測定装置を生体に装着した装着状態を示す説明図。
【図２】実施形態１に係る生体情報測定装置を生体から取り外した開放状態を示す斜視図。
【図３】実施形態１に係る生体情報測定装置のケース部の概略構成を示す平面図。
【図４】実施形態１に係る生体情報測定装置の概略構成を示すものであり、図２のＡ−Ａ線断面図。
【図５】生体情報測定装置のケース部における第１端部のＸ軸方向の幅ａと第２端部のＸ軸方向の幅ｂとの比率毎に、ユーザーが感じる圧迫感の有無や度合の評価した結果を示す表。
【図６】生体情報測定装置のケース部における第１端部のＺ軸方向の幅ｃと第２端部のＺ軸方向の幅ｄとの比率毎に、ユーザーが感じる圧迫感の有無や度合を評価した結果を示す表。
【図７】実施形態２に係る生体情報測定装置のケース部の概略構成を示す平面図。
【図８】実施形態２に係る生体情報測定装置の概略構成を、図４と同じ断面で示す断面図。
【図９】生体情報測定装置の表示部の変形例１の概略構成を示す平面図。
【図１０】生体情報測定装置の表示部の変形例２の概略構成を示す平面図。
【図１１】生体情報測定装置の表示部の変形例３の概略構成を示す平面図。
【図１２】生体情報測定装置の表示部の変形例４の概略構成を示す斜視図。
【発明を実施するための形態】
【００３９】
以下、本発明の実施形態について、図面を参照して説明する。なお、以下の各図においては、各層や各部材を認識可能な程度の大きさにするため、各層や各部材について実際とは異なる尺度で示している場合がある。
【００４０】
（実施形態１）
図１は、実施形態１に係るウェアラブル機器としての生体情報測定装置を生体に装着した装着状態を示す説明図である。図２は、実施形態１に係る生体情報測定装置を生体から取り外した開放状態を示す斜視図である。図３は、実施形態１に係る生体情報測定装置のケース部の概略構成を示す平面図である。また、図４は、実施形態１に係る生体情報測定装置の概略構成を示すものであり、図２のＡ−Ａ線断面図である。
まず、実施形態１に係るウェアラブル機器としての生体情報測定装置１の概略構成について説明する。
【００４１】
図１において、実施形態１に係る生体情報測定装置（以下では、測定装置ともいう）は、生体情報が測定される生体（例えば人体）に装着され、脈拍、およびその他の生体情報を測定する電子機器である。実施形態１の測定装置１は、腕時計のようにユーザー（生体）の測定部位に装着され使用される。
【００４２】
本明細書では、測定装置１の正面の法線方向を、図１における手前側を正とするＺ軸方向とする。ここで、測定装置１の正面とは、表示部５０が配置された面を指す。また、Ｚ軸方向と交差する方向であって、腕ＡＲの長さ方向を、指がある先端側を正とするＸ軸方向とする。そして、Ｚ軸方向及びＸ軸方向と交差する方向であって、腕ＡＲの幅方向を、小指側を正とするＹ軸方向とする。また、後述の表示部５０の表示面の法線方向をＺ軸とし、Ｚ軸と直交し、後述の第１のバンドから第２のバンドへ向かう方向、あるいは後述のケース部の第１端部から第２端部へ向かう方向をＹ軸とし、Ｚ軸及びＹ軸と直交する方向をＸ軸としてもよい。
【００４３】
また、本明細書では、測定装置１を正面の法線方向（Ｚ軸方向）から見ることを「正面視」という。あるいは、Ｚ軸方向からの投影視を「正面視」としてもよい。また、測定装置１をＸ軸方向から見ることを「側面視」という。また、測定装置１が手首ＷＲに装着された状態で、生体側、すなわち手首ＷＲに面する側を「内側」または「内面」といい、生体とは反対側、すなわち手首ＷＲに面する側の反対側を「外側」または「外面」という。なお、上記した「側面視」と同じ方向からみた測定装置１の断面、即ち、図２のＡ−Ａ線断面を見ることを「断面視」という。本明細書では、これらの「正面視」、「側面視」、および「断面視」は重要な図示方向であり、以下、度々詳述する場面がある。
【００４４】
図２に示すように、測定装置１は、装置本体であるケース部１０と、ケース部１０を手首ＷＲに固定する第１のバンド２２および第２のバンド２４を有するバンド部２０と、バンド部２０の第１のバンド２２と第２のバンド２４とを接続する接続部としてのバックル部３０と、を備えている。
【００４５】
ケース部１０の正面側には、生体情報測定結果や時刻などを文字やグラフィックス等として表示する表示部（モニター部（ディスプレイ））５０が備えられている。測定装置１は、測定装置１の正面とは反対側の底面（検出部）を手首ＷＲに密着させた状態で生体情報を測定する。そして、測定結果や、測定結果に基づいた生体情報の評価結果等を表示部５０に表示する。
【００４６】
バンド部２０は、ケース部１０の一方の端部である第１端部１０ａに第１のバンド２２が接続され、ケース部１０の他方の端部（第１端部１０ａの反対側の端部）である第２端部１０ｂに第２のバンド２４が接続され、第１のバンド２２と第２のバンド２４との先端側同士がバックル部３０により連結されている。本実施形態のバックル部３０は、２枚の金属製のプレートを回動軸で繋いだ蝶番状の部材で、２枚のプレートを重ねて折り畳むと長さが短くなり、並べて伸ばすと長くなる構造となっている。つまり、測定装置１は、生体情報を検出する検出部を有するケース部１０と、ケース部１０を生体に固定するためのバンド部２０と、バンド部２０と環状に接続するとともに、長さを調整可能なバックル部３０とを備えている。
【００４７】
このように、バンド部２０の両端部（第１のバンド２２および第２のバンド２４の末端部同士）がバックル部３０により連結されることにより、測定装置１は、図１に示す手首ＷＲに装着された状態（以下では、装着状態という）、及び、図２に示す手首ＷＲから取り外された状態（以下では、開放状態という）の双方の状態において環状となっている。
この構成により、測定装置１を装着する際には、バックル部３０を伸ばした状態として、図２に示す環状の大きな開口部に、手をすぼめて挿入した後、腕の装着位置でバックル部３０を折畳んで短くすることにより、図１に示すように、測定装置１を装着することができる。特に、バンド部２０の構成や材質、環状の開口部サイズの最適化などの様々な創意工夫を施すことにより、測定装置１の着脱を繰り返しても、後述する脈波センサー部５などの検出部（生体情報測定部）が腕の検出位置に正確に、かつ、略同等の押圧（押し付け力）で固定可能な構成を実現している。
なお、本実施形態では、バンド部２０と折り畳み型のバックル部３０とにより装着するタイプについて説明したが、バンド部の一端側に尾錠とツク棒を有し、他端部側のバンド部のステッチに小穴を設けて、他端側のステッチを尾錠に通して小穴にツク棒を挿し込んで固定するタイプのバンドおよび接続部を用いる構成としてもよい。
【００４８】
図３に示す測定装置１の平面図は、測定装置１のケース部１０を上述した「正面視」して示したものであり、バンド部２０の図示を省略している。測定装置１のケース部１０は、正面視において、第１端部１０ａのＸ軸方向の幅をａ、第２端部１０ｂのＸ軸方向の幅をｂとしたとき、幅ａよりも幅ｂの方が大きい（ａ＜ｂ）関係になっている。なお、第１端部１０ａと第２端部１０ｂとのＹ軸方向の幅をｙとしたときの、第１端部１０ａの幅ａと第２端部１０ｂの幅ｂとの適切な比率については後で詳しく説明する。
【００４９】
上述したように、正面視におけるケース部１０の「正面」には、表示部５０が備えられている。本実施形態の表示部５０は、ケース部１０の正面に、Ｘ軸方向を長手方向とする帯状の形状を有する帯状表示部５２が第１端部１０ａ側から第２端部１０ｂ側に向かう方向に沿って配置された第１表示部５１と、その第１表示部５１よりも第２端部１０ｂ側に配置され、文字等を画像として表示する第２表示部５５とを含む。
【００５０】
第１表示部５１に備わる帯状表示部５２には、例えばＬＥＤ（Light Emitting Diode）などの発光素子が用いられ、本実施形態では、同じ形状の複数の帯状表示部５２が、等間隔にて５つ配置されている。第１表示部５１は、例えば、脈波センサー部５などの検出部（生体情報測定部）が測定した生体情報の測定値や、その測定値に基づいて算出される運動の強度や身体への負荷などの度合を、複数の帯状表示部５２のうちの点灯している帯状表示部５２の数により、ユーザーに判りやすく通知することができる。また、帯状表示部５２は、第１端部１０ａ側から第２端部１０ｂ側に向かう方向に沿って幅が広くなるように構成されている。この構成により、ユーザーは運動の強度や身体への負荷などの度合を、より直感的に把握することが容易になる。
【００５１】
また、第２表示部５５には、例えばＬＣＤ（Liquid Crystal Display）を好適に用いることができる。第２表示部５５は、脈波センサー部５などの検出部（生体情報測定部）が測定した生体情報の測定値そのものをリアルタイムで数字等にて表示したり、測定値に基づく運動の強度や身体への負荷などの度合や、その他のメッセージ情報を、文字や画像によりユーザーに通知したりすることができる。また、第２表示部５５は、第１表示部５１よりも第２端部１０ｂ側に配置されているので、特にＸ軸方向の幅を比較的広くして設けることができる。これにより、第２表示部５５に表示する文字や数字などの画像を大きく表示できるので、表示させた画像情報をユーザーが視認しやいという効果が得られる。
【００５２】
また、本実施形態の測定装置１の「正面」の表示部５０よりも第１端部１０ａ側には、測定装置１の動作等の切換を行う操作スイッチや操作ボタンなどの操作部４０が設けられている。なお、操作部４０の詳細については後述する。
【００５３】
図４に示す測定装置１の断面図は、測定装置１のケース部１０を上述した「断面視」して示したものであり、この図４の測定装置１のケース部１０において、第１端部１０ａのＺ軸方向の幅をｃ、第２端部１０ｂのＺ軸方向の幅をｄとしたとき、幅ｃよりも幅ｄの方が大きい（ｃ＜ｄ）関係になっている。このため、ケース部１０の内部に形成される内部空間は、第１端部１０ａ側よりも第２端部１０ｂ側の方が広くなるので、第２端部１０ｂ側の空間に比較的大型の部品を配置して収容することが可能になる。本実施形態では、測定装置１のようなウェアラブル機器における比較的大型の部品として、ケース部１０の内部に電池１２０を備え、Ｘ軸方向からの断面視において、第１端部１０ａから電池１２０までの距離ｅよりも、第２端部１０ｂから電池１２０までの距離ｆの方が短い、即ち、ケース部１０内部の第２端部１０ｂ側の空間に電池１２０が配置されている。また、ケース部１０内部の電池１２０配置位置の直ぐ近傍に、電池１２０の他の比較的大きな部品１４０が配置されている。
【００５４】
ケース部１０内部における底面側（表示部５０を有する「正面」と対向する面側）には、表示部５０の駆動回路を含む生体情報測定装置１の主な駆動・制御回路や、後述する生体情報測定部（検出部）などを搭載したメイン回路基板７０が配置されている。メイン回路基板７０と表示部５０とは、ケース部１０内部の第１端部１０ａ側でフレキシブル基板（以下、ＦＰＣ（Flexible Printed Circuit）と記す）８０により電気的に接続されている。メイン回路基板７０と表示部５０との間の長さは、第２端部１０ｂ側よりも第１端部１０ａ側の方が短いので、ＦＰＣ８０によるメイン回路基板７０と表示部５０との接続長さが短くて済み、部品（ＦＰＣ８０）の小型化が図れるため、生体情報測定装置１の小型化に有利になる。
【００５５】
ケース部１０の底面の外側、即ちユーザーの生体側（手首側）には、生体情報としての脈波を検出する生体情報測定部としての脈波センサー部５が配置されている。本実施形態では、ケース部１０の底面の外側の面に、ユーザーの生体側に突出するセンサー凸部６５が形成されており、このセンサー凸部６５の内部空間に配置されたセンサー用回路基板７５に脈波センサー部５が搭載されている。センサー用回路基板７５は、例えばＦＰＣなどの中継基板８５を介してメイン回路基板７０と電気的に接続されている。センサー凸部６５は、ケース部１０と一体で形成されたリブとすることもできる。このように、脈波センサー部５が、ユーザーの生体側に突出するセンサー凸部６５に配置されていることにより、ユーザーの体に対する脈波センサーの接触状態が安定し、脈波信号の検出精度を向上させる効果を奏する。また、本実施形態の生体情報測定装置１では、主な駆動・制御回路や後述する各種の検出部を搭載したメイン回路基板７０とは別個に、脈波センサー部５を搭載するセンサー用回路基板７５が備えられている。これにより、小型化が要求される生体情報測定装置１において、ケース部１０における脈波センサー部５やその他の各種検出部のレイアウトの自由度の向上を実現することができる。
【００５６】
ここで、脈波センサー部５の構成、および測定原理について説明する。脈波センサー部５は、センサー凸部６５内に配置されたセンサー用回路基板７５、および、センサー用回路基板７５のユーザーの生体（手首の皮膚）側の面に搭載された光源としての発光素子６１（通常ＬＥＤが用いられる）と、受光素子６２（通常フォトダイオードが用いられる）とを有する光電脈波センサーである。センサー凸部６５内部において、発光素子６１と、受光素子６２とは、遮光部材６７により遮光されており、発光素子６１および受光素子６２の皮膚側の窓部（センサー凸部６５の少なくとも一部）は透光性を有している。窓部は透明な凸レンズ状の部材であり、透明樹脂が好適に用いられる。脈波センサー部５の発光素子６１から窓部を通過してユーザーの皮膚（生体）に照射された光は、皮膚下の血管を流れる血液によって一部が吸収されるが、残りの光は反射されて皮膚から外に出る。そして、生体で反射された光は受光素子６２によって補足され、受光信号として中継基板８５を介してメイン回路基板７０に出力される。受光素子６２からの受光信号は、血管を流れる血液量に相当する情報を含む信号である。血管を流れる血液量は、心臓の脈動によって変化するので、受光素子６２上の信号は心臓の拍動に対応して変化する。つまり、受光素子６２の信号の変化は、心拍数のパルスに相当するものである。そして、単位時間当たり（例えば１０秒当たり）のパルス数を計数することによって、心臓が１分間に打つ心拍数が得られる。
【００５７】
以上述べた脈波センサー部５の他に、生体情報測定装置１には、種々のセンサーや電子部品を搭載させることにより、より多機能な測定装置１として提供することができる。例えば、本実施形態の測定装置１のメイン回路基板７０の脈波センサー部５側、即ち、ユーザーの生体側の面（下面）には、振動モーター１１０が搭載されている。振動モーター１１０は、生体情報測定装置１による生体情報等の測定結果に基づくユーザーの状態の判定結果などの情報を振動によりユーザーに伝達する。本実施形態のように、振動モーター１１０が、メイン回路基板７０の脈波センサー部５と同じ生体側の面に配置されていることにより、振動モーター１１０の振動による情報の通知をユーザーに感知させやすくすることができる。
【００５８】
この他、ユーザー（生体）の温度、即ち体温を検知する温度センサーや、加速度センサーおよび角速度センサーなどの体動センサー、あるいはＧＰＳユニットなどを搭載させて、より多機能な測定装置１を構成することもできる。なお、温度センサーは、環境温度を測定することも可能である。
また、メイン回路基板７０の一方の面には、電池１２０を充電するための充電端子部１５０が設けられている。
【００５９】
また、上述したように、ケース部１０の正面の表示部５０よりも第１端部１０ａ側に、操作部４０が設けられている。図４では、ケース部１０の正面に配置された凸部を有する表面シート、上部接点、下部接点、および、通常時に上部接点と下部接点とが接触しない状態とするための上部接点と下部接点との間に介在させるスペーサーを有し、表面シートの凸部を指で押圧したときに、上部接点と下部接点とが接触するように構成されたメンブレンスイッチ型の操作部４０を例示している。このように、ケース部１０正面の第１端部１０ａ側の領域に操作部４０を設ける構成とすることにより、ケース部１０の「正面」における第１端部１０ａ側のケース部１０の厚みが薄い（Ｚ軸方向の幅ｃが狭い）領域に操作部４０が配置される。これにより、ケース部１０の内底部に配置したメイン回路基板７０に、操作スイッチまたは操作ボタンなどの操作部４０を実装して、この操作部４０を直接（または間接的に）操作して測定装置１の所定の操作を行うシンプルな構造の生体情報測定装置（ウェアラブル機器）１を構成することができる。また、操作部４０とメイン回路基板７０との電気的な接続を図る場合に、操作部４０とメイン回路基板７０との距離が第２端部１０ｂ側よりも短いので、例えばＦＰＣなどの接続配線材などによる接続長さが短くて済むという利点もある。
【００６０】
発明者らは鋭意確認、検証を行い、上述したケース部１０の「正面」における第１端部１０ａのＸ軸方向の幅ａと、第２端部１０ｂのＸ軸方向の幅ｂ（図３を参照）との比率ｂ／ａ毎にユーザーが感じる圧迫感の有無や度合を評価して、比率ｂ／ａの好適な構成について見出した。具体的には、第１端部１０ａのＸ軸方向の幅ａと、第２端部１０ｂのＸ軸方向の幅ｂとの比ａ：ｂが、ａ：ｂ＝１：（１．１〜１．４）であることが好ましいことを見出した。
【００６１】
上述した生体情報測定装置１のケース部１０における第１端部１０ａのＸ軸方向の幅ａと第２端部１０ｂのＸ軸方向の幅ｂとの比率毎に、ユーザーが感じる圧迫感の有無や度合の評価した結果を図５の表に示す。図５の表では、第１端部１０ａの幅ａ（短辺）と第２端部１０ｂの幅ｂ（長辺）とを複数の組み合わせで作成したケース部のサンプルを、１水準ずつバンド部を介して被験者の手首に装着し、被検者が感じる圧迫感の有無や度合を評価した。なお、ケース部の「正面」における第１端部１０ａと第２端部１０ｂとのＹ軸方向の幅ｙ（図３を参照）は５０ｍｍに統一して評価した。
図５の表では、幅ａと幅ｂとの比がａ：ｂ＝１：１のものとは変化を感じることはできるが、圧迫感は感じない場合を「好適（○）」、ａ：ｂ＝１：１のものとの変化を感じるが、感じる圧迫感は軽微である場合を「可（△）」、ａ：ｂ＝１：１のものとは明らかな変化が感じられ、明確な圧迫感を感じる場合を「不可（×）」としている。
【００６２】
図５の表に示すように、幅ａと幅ｂとの比ａ：ｂが１：１．１０、１：１．１４、１：１．２２、１：１．３１、および１：１．４０には、評価結果の「好適（○）」が見られる。この評価結果から、ケース部１０の第１端部１０ａの幅ａと第２端部１０ｂの幅ｂとの比ａ：ｂは、１：（１．１〜１．４）を好適な範囲として規定することができる。すなわち、幅ａに対して、幅ｂが１．１倍以上あれば、幅ｂが幅ａと同じである場合に比して、幅ａよりも幅ｂが広いことによる変化を感じることができ、且つ、幅ａに対して、幅ｂを１．４倍以下に抑えれば、幅ａの第１端部１０ａから受ける印象よりも幅ｂの第２端部１０ｂから受ける印象が強くなり過ぎ視覚的な圧迫感を顕著に感じるのを回避することができる。したがって、ケース部１０の「正面」における幅ａと幅ｂとの比ａ：ｂを、１：（１．１〜１．４）とすることにより、視覚的な圧迫感を抑えながら、ケース部１０の大型化を図ることができるため、大きな表示を行い視認性に優れた表示部５０を備えたウェアラブル機器としての生体情報測定装置１を提供することができる。
【００６３】
また、発明者らは、上述したケース部１０の「側面視」または「断面視」における第１端部１０ａのＺ軸方向の幅ｃと、第２端部１０ｂのＺ軸方向の幅ｄ（図４を参照）との比率ｄ／ｃ毎にユーザーが感じる圧迫感の有無や度合を評価して、比率ｄ／ｃの好適な構成について見出した。具体的には、第１端部１０ａのＺ軸方向の幅ｃと、第２端部１０ｂのＺ軸方向の幅ｄとの比ｃ：ｄが、ｃ：ｄ＝１：（１．２〜４．０）であることが好ましいことを見出した。
【００６４】
上述した生体情報測定装置１のケース部１０における第１端部１０ａのＺ軸方向の幅ｃと第２端部１０ｂのＺ軸方向の幅ｄとの比率毎に、ユーザーが感じる圧迫感の有無や度合の評価した結果を図６の表に示す。図６の表では、第１端部１０ａの幅（厚み）ｃと、第２端部１０ｂの幅（厚み）ｄとを複数の組み合わせで作成したケース部のサンプルを、１水準ずつバンド部を介して被験者の手首に装着し、被検者が感じる圧迫感の有無や度合を評価した。なお、図示はしないが、ケース部の第１端部１０ａと第２端部１０ｂとのＹ軸方向の幅ｙは、上述した図５の表の評価時と同様には５０ｍｍに統一して評価した。
図６の表では、幅ｃと幅ｄとの比がｃ：ｄ＝１：１のものとは変化を感じることはできるが、圧迫感は感じない場合を「好適（○）」、ｃ：ｄ＝１：１のものとの変化を感じるが、感じる圧迫感は軽微である場合を「可（△）」、ｃ：ｄ＝１：１のものとは明らかな変化が感じられ、明確な圧迫感を感じる場合を「不可（×）」としている。
【００６５】
図６の表に示すように、幅ｃと幅ｄとの比ｃ：ｄが１：１．２０、１：１．２９、１：１．４６、１：１．６７、１：１．９１、１：２．２０、１：２．５６、１：３．００、１：３．５７、および１：４．００には、評価結果の「好適（○）」が見られる。この評価結果から、ケース部１０の第１端部１０ａの幅（厚み）ｃと第２端部１０ｂの幅（厚み）ｄとの比ｃ：ｄは、１：（１．２〜４．０）を好適な範囲として規定することができる。すなわち、幅ｃに対して、幅ｄが１．２倍以上あれば、幅ｃが幅ｄと同じである場合に比して、幅ｃよりも幅ｄが広いことによる変化を感じることができ、且つ、幅ｃに対して、幅ｄを４倍以下に抑えれば、幅ｃの第１端部１０ａから受ける印象よりも幅ｄの第２端部１０ｂから受ける印象が強くなり過ぎ視覚的な圧迫感を顕著に感じるのを回避することができる。また、測定装置１の装着状態において、ケース部１０の表示部５０が配置される「正面」が、第１端部１０ａよりもユーザーの目の奥側にある第２端部１０ｂがユーザーの目に近づくように立ち上がる斜面となるので、表示部５０の表示を視認しやすくなるという効果が得られる。
したがって、ケース部１０の「側面視」または「断面視」における幅ｃと幅ｄとの比ｃ：ｄを、１：（１．２〜４．０）とすることにより、視覚的な圧迫感を抑えながら、ケース部１０の大型化を図ることができるので、ケース部１０の内部に部品を効率よく配置させることが可能になり、より高機能で長時間の連続使用が可能なウェアラブル機器としての生体情報測定装置１を提供することができる。
【００６６】
以上、述べた実施形態１の生体情報測定装置１によれば、ケース部１０の第１端部１０ａのＸ軸方向の幅ａと、第２端部１０ｂのＸ軸方向の幅ｂとしたとき、ａ＜ｂである構成とした。これにより、生体情報測定装置１を装着したときに、第１端部１０ａがユーザーの手前側（目線に近い側）に位置し、ケース部１０の第１端部１０ａのＸ軸方向の幅ａよりも、目線の奥にある第２端部１０ｂのＸ軸方向の幅ｂの方が広くなる。このため、遠近法による錯視効果によって、ケース部１０の第２端部１０ｂ側の幅ｂは、実際の幅よりも狭く視認され、装着者に視覚的な圧迫感を与え難くなるという効果が得られる。したがって、視覚的な圧迫感が抑えられ、長時間の連続使用が可能なウェアラブル機器としての生体情報測定装置１を提供することができる。
【００６７】
また、上述した錯視効果により、ケース部１０の第２端部１０ｂ側の幅ｂが実際の幅よりも狭く視認されるので、第２端部１０ｂの幅ｂを可能な範囲で広く設定して、ケース部１０の表面に配置させる表示部５０の少なくとも一部を第２端部１０ｂ側に配置することにより、表示部５０の表示領域を比較的広くすることが可能になる。したがって、ケース部１０の大きさによって装着者が感じる視覚的な圧迫感を抑えながら、視認性の優れた表示部５０を有するウェアラブル機器としての生体情報測定装置１を提供することができる。
【００６８】
また、本実施形態では、ケース部１０の第１端部１０ａのＺ軸方向の幅（厚み）ｃ、第２端部１０ｂのＺ軸方向の幅（厚み）ｄの関係をｃ＜ｄとした。
これにより、生体情報測定装置１を装着したユーザーがケース部１０の正面と正対したときに、第１端部１０ａが装着者（ユーザー）の手前側（目線に近い側）に位置し、ケース部１０の厚みが、装着者の手前側（第１端部１０ａ側）の厚みよりも、装着者の奥側（第２端部１０ｂ側）の厚みの方が厚くなる。つまり、ケース部１０の装着者と正対する面（正面、表示部５０を配置する面）は、装着者の奥側となる第２端部１０ｂ側が装着者の目線に近づくように立ちあがる斜面となる。これにより、表示部５０の表示が視認しやすくなるという効果がえられる。
また、ケース部１０の内部空間は、装着者の目線に近い第１端部１０ａ側から第２端部１０ｂ側に向けて広くすることが可能になるので、第２端部１０ｂ側の比較的広い空間に、電池１２０やその他の比較的大きな部品１４０を配置すること等ができる。
【００６９】
（実施形態２）
図７は、実施形態２に係る生体情報測定装置のケース部の概略構成を示す平面図である。また、図８は、実施形態２に係る生体情報測定装置の概略構成を、図４と同じ断面で示す断面図である。
以下、実施形態２に係るウェアラブル機器としての生体情報測定装置１Ａについて、これらの図を参照して説明する。なお、実施形態１と同一の構成部位については、同一の符号を付して、重複する説明は省略する。
【００７０】
図７に示す実施形態２に係る測定装置１Ａは、ケース部１０Ａを上述の「正面視」して示したもの、即ち、Ｚ軸方向から正面視したものであり、バンド部の図示を省略している。本実施形態の測定装置１Ａと、実施形態１の測定装置１との大きな相違点の１つは、ケース部１０Ａの正面視の形状である。図７に示す実施形態２に係る測定装置１Ａのケース部１０Ａは、正面視において、第１端部１０ａのＸ軸方向の幅ａよりも、第２端部１０ｂのＸ軸方向の幅ｂの方が大きい（ａ＜ｂ）関係になっているとともに、第１端部１０ａおよび第２端部１０ｂの間に、Ｘ軸方向の幅が、第１端部１０ａの幅ａおよび第２端部の幅ｂの少なくとも一方と異なる幅ｂ´を有する中間部１０ｃを含んでいる。これにより、遠近法による錯視効果によって装着者に視覚的な圧迫感を与え難くしながら第２端部１０ｂの幅ｂを第１端部１０ａの幅ａよりも広くしたケース部１０Ａの形状において、設計の自由度が広がるという効果が得られる。
【００７１】
上述のケース部１０Ａの正面視した形状において、さらに本実施形態では、第１端部１０ａの幅ａと、中間部１０ｃの幅ｂ´との関係が、ｂ´＞ａとなっている。これにより、中間部１０ｃの幅ｂ´が第１端部１０ａの幅ａよりも広くても、遠近法による錯視効果により、装着者に視覚的な圧迫感を与え難することができるとともに、実施形態１のケース部１０に比して、中間部１０ｃから第２端部１０ｂにかけてのデッドスペースを抑えることが可能になる。具体的には、実施形態１のケース部１０と同じ幅の第１端部１０ａおよび第２端部１０ｂである構成とした場合に、中間部１０ｃから第２端部１０ｂにかけての「正面」のスペースを多く確保することができ、例えば、上記実施形態１のケース部１０における第２表示部５５（図３参照）よりも、第２表示部５５Ａの大きさを大きくして設けることが可能になる。
【００７２】
さらに、上述したケース部１０Ａにおいて、第２端部１０ｂの幅ｂと、中間部１０ｃの幅ｂ´との関係が、ｂ´≧ｂであることが好ましく、本実施形態のケース部１０Ａではｂ´＝ｂになっている。この構成によれば、中間部１０ｃから第２端部１０ｂまでの大きさを十分に確保しながら、装着者に視覚的な圧迫感を与え難い測定装置１Ａ（ケース部１０Ａ）を提供することができる。
【００７３】
図８は、本実施形態の測定装置１Ａのケース部１０Ａを上述した「断面視」して示したものであり、実施形態１のケース部１０と同様に、第１端部１０ａのＺ軸方向の幅ｃよりも、第２端部１０ｂの幅ｄの方が大きい（ｃ＜ｄ）関係になっているとともに、中間部１０ｃのＺ軸方向の幅を幅ｄ´としたとき、ｄ´＞ｃの関係である。これにより、ケース部１０Ａの厚みが、装着者の手前側（第１端部１０ａ側）の厚み（幅ｃ）よりも、装着者の奥側（第２端部１０ｂ側）に位置する中間部１０ｃの厚み（幅ｄ´）の方が厚くなって装着者側に立ちあがる斜面となるので、この斜面に表示部５０を配置させた構成において、表示部５０の表示が視認しやすくなるという効果が得られる。
また、ケース部１０Ａの内部空間が、装着者の目線に近い第１端部１０ａ側から中間部１０ｃ側に向けて広くなるので、例えば、中間部１０ｃ側の広い空間に比較的大型の部品である電池１２０や、その他の比較的大きな部品１４０を配置すること等ができる。
【００７４】
さらに本実施形態のケース部１０Ａの「断面視（Ｘ軸方向からの平面視）」においては、第２端部１０ｂのＺ軸方向の幅ｄと中間部１０ｃのＺ軸方向の幅ｄ´との関係が、ｄ´≧ｄであることが好ましく、本実施形態ではｄ´＝ｄとなっている。これにより、ケース部１０Ａの中間部１０ｃから第２端部１０ｂにかけての厚みの増大やデッドスペースを抑えながら、中間部１０ｃから第２端部１０ｂを含む領域に視認性のよい表示部５０を配置したり、中間部１０ｃから第２端部１０ｂにかけてのケース部内部に形成される比較的大きなスペースに、電池１２０や比較的大きな部品１４０、あるいは多数の部品を収容させることにより、サイズを増大させることなくウェアラブル機器としての生体情報測定装置１Ａの高機能化を図ることが可能になる。
【００７５】
なお、本発明は上述した実施形態に限定されず、上述した実施形態に種々の変更や改良などを加えることが可能である。変形例を以下に述べる。
【００７６】
上記実施形態では、ケース部の「正面」に配置される表示部５０が、Ｘ軸方向を長手方向とする同じ形状を有する帯状表示部５２が第１端部１０ａから第２端部１０ｂに向かう方向に沿って複数配置された第１表示部５１と、その第１表示部５１よりも第２端部１０ｂ側に配置され、文字等を画像として表示するＬＣＤなどの第２表示部５５とからなる構成を説明したが、これに限定されるものではない。
以下、ウェアラブル機器としての生体情報測定装置の表示部の変形例４つについて、図面に沿って説明する。なお、以下の変形例において、実施形態１と同一の構成部位については、同一の番号を附し、重複する説明は省略する。
【００７７】
（変形例１）
図９は、生体情報測定装置の表示部の変形例１の概略構成を示す平面図である。
図９において、変形例１に係る測定装置１Ｂの表示部５０Ｂは、第１端部１０ａ側から第２端部１０ｂ側に向かう方向（Ｙ軸方向）に沿って配置され、Ｘ軸方向を長手方向とする複数の帯状表示部５２Ｂを有する第１表示部５１Ｂのみにより構成されている。複数の帯状表示部５２Ｂは、Ｙ軸方向の幅が同じ幅で形成されており、Ｙ軸方向に等間隔に配置されているが、長手方向であるＸ軸方向の幅は、第１端部１０ａ側から第２端部１０ｂ側にいくほど長く形成されている。即ち、ケース部１０の「正面」に配置された複数の帯状表示部５２Ｂの各々のＸ軸方向の幅が、第１端部１０ａから第２端部１０ｂに向かってＸ軸方向の幅が長くなるケース部１０の「正面」の形状に合わせて設定されている。
【００７８】
本変形例の測定装置１Ｂにおける表示部５０Ｂのように、複数の帯状表示部５２Ｂを有する第１表示部５１Ｂのみで構成されていても、表示部５０Ｂ（第１表示部５１Ｂ）が有する複数の帯状表示部５２Ｂを表示する本数により、測定装置１Ｂにより測定される生体情報の測定値や、その測定値に基づいて算出される運動の強度や身体への負荷などの度合を見やすく表示することが可能である。本変形例では、第１端部１０ａ側から第２端部１０ｂ側に向かって幅が広くなるケース部１０のＸ軸方向の幅に合わせて、複数配置された帯状表示部５２Ｂの各々のＸ軸方向の長さを、第１端部１０ａ側から第２端部１０ｂ側に向かって長く設定して配置しているので、表示する情報の値の大きさや度合などを強調して装着者に視認させることが可能になる。
【００７９】
（変形例２）
図１０は、生体情報測定装置の表示部の変形例２の概略構成を示す平面図である。
図１０において、変形例２に係る測定装置１Ｃの表示部５０Ｃは、上記変形例１と同様に、第１端部１０ａ側から第２端部１０ｂ側に向かうＹ軸方向に沿って配置され、Ｘ軸方向を長手方向とし、配置された位置のケース部１０の「正面」のＸ軸方向の幅に合わせてＸ軸方向の長さが設定された複数の帯状表示部５２Ｃを有する第１表示部５１Ｃのみにより構成されている。ただし、変形例１と異なり、複数の帯状表示部５２Ｃの各々のＹ軸方向の幅が、第１端部１０ａ側から第２端部１０ｂ側に向かって徐々に広く（太く）して配置されている。
【００８０】
本変形例によれば、表示する生体情報測定値などの情報や、度合などの大小をさらに強調して、装着者によりわかりやすく視認させることが可能になる。
【００８１】
（変形例３）
図１１は、生体情報測定装置の表示部の変形例３の概略構成を示す平面図である。
図１１において、変形例３に係る測定装置１Ｄの表示部５０Ｄは、上記変形例１と同様の構成にて、第１端部１０ａ側から第２端部１０ｂ側に向かうＹ軸方向に沿って配置され、Ｘ軸方向を長手方向とし、配置された位置のケース部１０の「正面」のＸ軸方向の幅に合わせてＸ軸方向の長さが設定された複数の帯状表示部５２Ｄを有する第１表示部５１Ｄと、その第１表示部５１Ｄにおいて隣り合う帯状表示部５２Ｄの間の領域に配置され、文字や画像を表示させるＬＣＤなどの第２表示部５６，５７とを含む。
【００８２】
この構成によれば、第１表示部５１Ｄで表示（点灯）させる帯状表示部５２Ｄの本数による視覚的に判りやすい表示を行えるとともに、第２表示部５６，５７に、数値や文字などの画像による情報を表示できるので、より多様な情報を装着者にわかりやすく報知することが可能になる。例えば、ランニングなどの運動中には、第１表示部５１Ｄの帯状表示部５２Ｄの表示（点灯）本数により、時間経過、運動強度のレベル、消費カロリー、歩数、疲労の度合、あるいは事前に設定された目標に対する達成度等の情報をおおまかに認識して、運動に反映させ、運動停止時などの所定のタイミングで、運動（走行）距離や運動時間、心拍数、消費カロリー、歩数、疲労度合などの具体的な測定値を第２表示部５６，５７に文字や画像として表示させることができる。なお、第２表示部は２つに限定するものではなく、それ以上の数の第２表示部を配置しても良い。これにより一度に多様な情報を容易に把握することができる。また、帯状表示部５２Ｄの数も５つに限定するものでは無く、３つ、あるいは７つの帯状表示部５２Ｄを配置しても良い。
【００８３】
（変形例４）
図１２は、生体情報測定装置の表示部の変形例４の概略構成を示す斜視図である。
図１２に示すように、変形例４に係る測定装置１Ｅの表示部５０Ｅは、ケース部１０の「正面」のＸ軸方向の両端側に、Ｙ軸方向を長手方向として各々配置された帯状表示部５２Ｅを有する第１表示部５１Ｅを含む。このように、ケース部１０の長手方向であるＹ軸方向を長手方向とした帯状表示部５２Ｅは、上述の実施形態および変形例１〜３の表示部におけるＸ軸方向を長手方向とする帯状表示部よりも大きくなるので、多様な情報を装着者にわかりやすく表示することができる。例えば、帯状表示部５２Ｅの第１端部１０ａ側から第２端部１０ｂに向けての表示（点灯）部分の長さで、時間経過、運動強度のレベル、消費カロリー、歩数、疲労の度合、あるいは事前に設定された目標に対する達成度等の情報を、一目で確認しやすく表示することができる。
また、本変形例では、帯状表示部５２Ｅが、ケース部１０のＸ軸方向の両端側の角部に配置されている。これにより、帯状表示部５２の表示が、ケース部１０の「正面」および側面から視認可能になるので、視認性がより向上する効果が得られる。
また、本変形例では、各帯状表示部５２の「正面」側のＸ軸方向の幅、および、側面側のＺ軸方向の幅が、第１端部１０ａ側から第２端部１０ｂ側に向けて広くなるようにして設けられている。これにより、各帯状表示部５２Ｅの表示の視認性が向上するとともに、表示する情報のレベルや度合が、第１端部１０ａから第２端部１０ｂ側へ向かってより強調されるので、直感的な状況把握が容易になるという効果が得られる。
【００８４】
図１２において、本変形例の測定装置１Ｅの表示部５０Ｅは、上述の第１表示部５１Ｅとともに、文字や画像により情報を表示するＬＣＤなどで構成された第２表示部５５Ｅを備えている。これにより、時刻や、生体情報の測定値などの具体的な情報をユーザーに通知することができる。したがって、ユーザーは、第１表示部５１Ｅにより、運動の強度や身体への負荷などの度合を直感的に把握でできるとともに、必要に応じて、運動の強度や身体への負荷などの度合を、数値や文字などによってより詳細に把握することができる。
なお、本変形例では、第１表示部５１Ｅの帯状表示部５２Ｅを、ケース部１０のＸ軸方向の両端側の角部に配置した例を説明したが、これに限定されるものではなく、例えば、ケース部１０のＸ軸方向の両端側の「正面」のみに配置する構成としてもよい。
また、本変形例では、各帯状表示部５２ＥのＸ軸方向およびＺ軸方向の幅を、第１端部１０ａ側から第２端部１０ｂに向かって広くなるように設けたが、これに限定されるものではなく、Ｘ軸方向およびＺ軸方向の幅が同じ幅の帯状表示部５２Ｅであってもよい。
また、帯状表示部５２Ｅは、本変形例のように、ケース部１０の「正面」のＸ軸方向の両端側に２つ配置された構成に限らず、１つの帯状表示部を有する構成としてもよい。
さらに、本変形例の表示部５０Ｅは、上述した帯状表示部５２Ｅを有する第１表示部５１Ｅとともに、画像により情報を表示する第２表示部５５Ｅを含む構成を説明したが、上記した構成の第１表示部５１Ｅのみを有する構成であってもよい。
【００８５】
なお、以上のようにウェアラブル機器としての生体情報測定装置の実施形態および変形例について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報測定部、生体情報測定装置等の構成、動作も本実施形態で説明したものに限定されず、種々の変形実施が可能である。
【００８６】
例えば、操作部４０は、上記実施形態および変形例のように、ケース部の「正面」の第１端部１０ａ寄りの領域に設けなくてもよく、また、「正面」にも限らず、例えばケース部の側面に配置させてもよい。このように配置することで、正面における表示領域をより広く確保することができるとともに、シャツの袖通りも改善することができる。さらに、ボタンは採用せずにタップなどのユーザーの操作を検知することができるタッチセンサーや加速度センサーを操作部として設けても良い。このようなセンサーを採用することで装置の可動部が減るために、防水性を向上させることもできる。
【００８７】
また、実施形態１のケース部１０の正面視の形状（図３参照）および断面視の形状（図４参照）と、実施形態２のケース部１０Ａの正面視の形状（図７）および断面視の形状（図８）とは、それぞれの正面視の形状と断面視の形状とを入れ替えて組み合わせた形状とすることも可能である。例えば、ケース部の正面視の形状は図３に示す実施形態１のケース部１０の形状であり、断面視の形状は図８に示す実施形態２のケース部１０Ａの形状であるケース部とすることができる。
【００８８】
また、上記実施形態および変形例のケース部の形状は、正面視および断面視のいずれにおいても直線を組み合わせた形状で図示したが、少なくとも一部が曲線（円弧状）であってもよい。特に、ケース部のユーザーの皮膚と接触する面は、測定装置（ウェアラブル機器）を装着する手首の接触部分の形状に追従するような曲面で形成することにより、装着感をより良好にすることが可能になる。
【００８９】
また、上記実施形態および変形例で示した表示部（第１表示部）が有する複数の帯状表示部は、図３、図７、図９〜図１１で示したようにＹ軸方向に等間隔で配置しなくても良く、間隔を変えて配置することによって、ユーザーに表示内容をより強調して報知することも可能である。
【符号の説明】
【００９０】
１，１Ａ，１Ｂ，１Ｃ，１Ｄ，１Ｅ…ウェアラブル機器としての生体情報測定装置（測定装置）、５…生体情報測定部としての脈波センサー部、１０，１０Ａ…ケース部、１０ａ…第１端部、１０ｂ…第２端部、１０ｃ…中間部、２０…バンド部、２２…第１のバンド、２４…第２のバンド、３０…バックル部、４０…操作部、５０，５０Ｂ，５０Ｃ，５０Ｄ，５０Ｅ…表示部、５１，５１Ｂ，５１Ｃ，５１Ｄ，５１Ｅ…第１表示部、５２，５２Ｂ，５２Ｃ，５２Ｄ，５２Ｅ…帯状表示部、５５，５５Ｅ，５６，５７…第２表示部、６１…発光素子、６２…受光素子、６５…センサー凸部、６７…遮光部材、７０…メイン回路基板、７５…センサー用回路基板、８０…ＦＰＣ、８５…中継基板、１１０…振動モーター、１２０…電池、１４０…比較的大きな部品、１５０…充電端子部。
【図１】
2017213126.tif 000003
【図２】
2017213126.tif 000004
【図３】
2017213126.tif 000005
【図４】
2017213126.tif 000006
【図５】
2017213126.tif 000007
【図６】
2017213126.tif 000008
【図７】
2017213126.tif 000009
【図８】
2017213126.tif 000010
【図９】
2017213126.tif 000011
【図１０】
2017213126.tif 000012
【図１１】
2017213126.tif 000013
【図１２】
2017213126.tif 000014